(57)【要約】【課題】本発明では、端子係止具（リテーナ）にハウジングの収容室に挿入された電線が接続された端子を係止する機能とともにロックアームを外力から保護し、ロックアームの変形や破損を防止する機能を併せて有するリテーナを備えたリテーナ付きコネクタを提供する。【解決手段】ハウジング１００の後方からリテーナ２００を所定位置に装着して、リテーナ２００に備えられた一対の係止脚２０１により、ハウジング１００の外壁に設置されたロック部材１１２の左右方向の変形を防止するとともに、またリテーナ２００に備えられた支持部２０４を端子挿入室１０２に挿入させて、端子３００を後方から前方に押えて、抜け止めを防止する。【選択図】図１１
2020161238.tif 000002
【特許請求の範囲】
【請求項１】
互いに直交する左右方向、上下方向、前後方向をとった時に、前後方向に貫通して前後方向の前側である嵌合側を接続口として開口し、前後方向の後側である反嵌合側を挿入口として開口し左右方向に沿って少なくとも１列に複数配列された端子収容室を有するハウジングと、上記端子収容室の上記上下方向の一方側の上記ハウジングの外側の上壁に、前側の端部に相手側コネクタに係合するロック部及び後側の端部に位置にして上記ロック部と相手側コネクタとの係合を解除する操作部を有するロック片を備えるとともに、上記ロック片の反嵌合側の端部の左右方向の一方側及び他方側から前側へ延びて、上記上壁に左右方向にかつ上記ロック部よりも後側に位置するように形成された一対の連結部に連結される一対の連結脚を有するロック部材と、上記挿入口から電線が接続された端子が挿入された所定位置において、上記挿入口から挿入され上記端子を前側へ押える支持部を備えたリテーナ下壁を有するとともに、上記所定位置において、上記上壁の上記一対の連結脚の左右方向の両側に各々並列して沿うように前側に延びて配置され、上記一対の連結脚を係止する一対の係止脚を備えたリテーナ上壁を有するリテーナを備えたコネクタ。
【請求項２】
上記端子収容室は上下方向に２列、左右方向に沿って配列するように設けられるように構成した請求項１のコネクタ。
【請求項３】
上記リテーナは、上記所定位置において、上下方向の一方側の列および他方側の列の上記端子収容室に収容された上記端子を前側へ押える上記支持部を備えるように構成した請求項２のコネクタ。
【請求項４】
上記所定位置において、左右方向からの側面視で上記ロック部材と上記係止脚が重複するように構成した請求項１乃至請求項３のコネクタ。
【請求項５】
上記所定位置において、後側からの側面視で上記操作部の下側の端部と上記上壁との間を覆うように、上記リテーナ上壁の後側の端部から立設されたロック保護壁を形成するように構成した請求項１乃至４のコネクタ。
【発明の詳細な説明】
【技術分野】
【０００１】
本発明は、コネクタ内に端子を保持するとともにロックを保護するリテーナ付きコネクタに関する。
【背景技術】
【０００２】
特許文献１では、電線が接続された端子金具が挿入された収容室が上下２段に複数形成されるとともに、外壁面に相手側コネクタと係合するロックアームを備えたハウジングにおいて、ハウジングの収容室の後方から端子金具に対する可撓係止片を備えた端子係止具を進入させて、端子金具を係止するコネクタについて開示されている。
【先行技術文献】
【特許文献】
【０００３】
【特許文献１】特開２０１１−９０７９９号公報
【発明の概要】
【発明が解決しようとする課題】
【０００４】
ところが、この特許公報１で開示されたコネクタでは、ハウジングの収容室の後方から進入された端子係止具は端子金具を係止するだけのものであり、ハウジングの外壁面に備わったロックアームを外力から保護し、ロックアームの変形や破損を防止する機能はない。
【０００５】
したがって、本発明では、端子係止具（リテーナ）にハウジングの収容室に挿入された電線が接続された端子を係止する機能とともにロックアームを外力から保護し、ロックアームの変形や破損を防止する機能を併せて有するリテーナを備えたリテーナ付きコネクタを提供することを目的とする。
【課題を解決するための手段】
【０００６】
（１）本発明のコネクタでは、互いに直交する左右方向、上下方向、前後方向をとった時に、前後方向に貫通して前後方向の前側である嵌合側を接続口として開口し、前後方向の後側である反嵌合側を挿入口として開口し左右方向に沿って少なくとも１列に複数配列された端子収容室を有するハウジングと、
上記端子収容室の上記上下方向の一方側の上記ハウジングの外側の上壁に、前側の端部に相手側コネクタに係合するロック部及び後側の端部に位置にして上記ロック部と相手側コネクタとの係合を解除する操作部を有するロック片を備えるとともに、上記ロック片の反嵌合側の端部の左右方向の一方側及び他方側から前側へ延びて、上記上壁に左右方向にかつ上記ロック部よりも後側に位置するように形成された一対の連結部に連結される一対の連結脚を有するロック部材と、
上記挿入口から電線が接続された端子が挿入された所定位置において、上記挿入口から挿入され上記端子を前側へ押える支持部を備えたリテーナ下壁を有するとともに、上記所定位置において、上記上壁の上記一対の連結脚の左右方向の両側に各々並列して沿うように前側に延びて配置され、上記一対の連結脚を係止する一対の係止脚を備えたリテーナ上壁を有するリテーナとを備えている。
【０００７】
この構成により、ハウジングの外側の上壁にロック部材が一対の連結脚を介して設けられ、ハウジング内の端子収容室内に電線が接続された端子が挿入されたコネクタにおいて、所定位置で相手側コネクタとの嵌合方向の反対側の反嵌合方向から、リテーナを装着することで、支持部により端子を嵌合方向へ押えるとともにロック部材の一対の連結脚に対
してもその左右方向の両側に各々並列して沿うように配置される一対の係止脚で係止することができる。
【０００８】
（２）さらにこの発明では端子収容室を上下方向２列に配置されることができる。
【０００９】
この構成により、上下方向１列のみの端子収容室のものだけなく、上下方向２列の端子収容室を有するコネクタについても展開可能となる。
【００１０】
（３）さらにこの発明では上下２列の端子収容室に挿入された端子を嵌合方向に押える
支持部をリテーナに備えることができる。
【００１１】
この構成により、上下方向１列のみの端子収容室のものだけなく、上下方向２列の端子収容室に挿入された端子を所定位置でリテーナの支持部により嵌合方向に押えて端子の抜けを防止できる。
【００１２】
（４）さらにこの発明では所定位置において、左右方向からの側面視でロック部材と係止脚が重複するようにすることができる。
【００１３】
この構成により、前後方向でロック部材が係止脚に覆われるようになるので、より  強固にロック部材を保護して、不意な外力がロック部材に生じてロック部材が変形することを防止し、電線等がロック部材に絡まることも防止することができる。
【００１４】
(５)  さらにこの発明では所定位置において、後側からの側面視で操作部の上下方向の外壁側の一方側と上壁との間を覆うように、リテーナ上壁の後側の端部から立設されたロック保護壁を形成することができる。
【００１５】
この構成により、後側から電線や塵等が操作部の下側に入り込み、操作部の操作に支障をきたすことを防止することができる。
【発明の効果】
【００１６】
本発明によると、ハウジングの外側の上壁にロック部材が設けられ、ハウジング内の端子収容室内に電線が接続された端子が挿入されたコネクタにおいて、リテーナを装着することで、端子を端子収容室内に保持するとともに、ロック部材の保護をも実現することができる。
【図面の簡単な説明】
【００１７】
【図１】本発明の一実施例に係るハウジングの斜視図
【図２】図１のハウジングの上面図
【図３】図１のハウジングの右側面図
【図４】本発明の一実施例に係るリテーナの斜視図
【図５】図４のリテーナの右側面図
【図６】図４のリテーナの上面図
【図７】図４のリテーナの下面図
【図８】本発明の一実施例に係るハウジングの所定位置でのリテーナ装着時の斜視図
【図９】図８の上面図
【図１０】図８の右側面図
【図１１】図９のＩ-Ｉに沿う断面図
【図１２】他の実施例でのハウジングの所定位置でのリテーナ装着時の図９のI―Iに沿う断面図
【図１３】相手側コネクタとの接続状態を示す斜視図
【発明を実施するための形態】
【００１８】
以下、本発明を実施するための形態について図面を参照しつつ説明する。尚、各図において、説明の便宜上、右と記載された矢印が指示する方向を右側と称し、左と記載された矢印が指示する方向を左側と称し、上と記載された矢印が指示する方向を上側又は上方と称し、下と記載された矢印が指示する方向を下側又は下方と称し、前と記載された矢印が指示する方向を前側又は前方と称し、後と記載された矢印が指示する方向を後側又は後方と称する。
【００１９】
まず図１は、本発明の一実施の形態に係るハウジング斜視図であり、ハウジングについて、説明する。ハウジング１００の外側の上壁１０１には、相手側コネクタ４００との接続時に係合されるロック部１０４が前側端部に形成され、ロック部１０４を解除方向に手動により可動される操作部１０５を後側端部に形成したロック片１０３が備えられている。本実施例では、ロック部１０４の下側端部は下側に突出して形成されており、相手側コネクタ４００との係止部（図示せず）と係合可能となっている。また操作部１０５の上側端部は上側に突出して形成されており、手動により押下して、ロック部１０４を上方に可動させて相手側コネクタとの係止部との係合を解除することができる。
【００２０】
さらに図３の右側面図をも参照すると、このロック片１０３はその後側端部の左右の両側から前方へ延出された一対の連結脚１０６，１０６を備え、その連結脚１０６，１０６は前方に向けて右側面視で外壁１０１と略平行に延出されるが、上壁１０１に形成された一対の連結部１０７、１０７の略上方に達すると、外壁１０１と直交する方向の下方に屈曲して延長されて、連結部１０７、１０７と連結される。その連結部１０７，１０７は、操作部１０５を下側へ押圧した際にその支点となり、連結脚１０６，１０６が弾性変形して、ロック部１０４を上側に可動させ、相手側コネクタ４００との係合を解除させる働きをする。尚、ロック部材１１２は、ロック片１０３と一対の連結脚１０６，１０６によって構成されている。
【００２１】
また、図９を参照すると、ハウジング１００の上壁１０１には左右方向にロック部材１１２の両側に２個ずつ計４個の係止突起１０８が形成されていて、ハウジング１００にリテーナ２００が所定位置に装着された際にリテーナ２００の係止孔２０２と係合される。
【００２２】
また、ハウジング１００には左右方向に１列の端子収容室１０２、さらにその１列の端子収容室１０２の下側には２列目の端子収容室１０２が備えられている。
【００２３】
また、図１１の断面図を参照すると、端子収容室１０２の相手側コネクタとの嵌合面には接続口１１１が設けられていて、後側には電線が接続された端子３００が挿入される挿入口１１５が設けられている。また、端子収容室１０２には挿入された端子３００を係合するハウジングランス１０９がハウジング１００と一体的に形成されている。
【００２４】
さらに、図１３をも参照すると、ハウジング１００の前後方向の１面には左右方向および上下方向に延在された接続壁１１３が形成されていて、相手側コネクタ４００との接続の際、相手側コネクタ４００の端面が接合されることとなる。
【００２５】
また、ハウジング１００の接続面１１３からは、内部に端子収容室１０２を備えた突出部１１４が、左右方向及び上下方向に互いに離間して前方に突出していて、相手側コネクタ４００との接続の際には、相手側コネクタ４００内に嵌入される。
【００２６】
次に、リテーナ２００について、図４乃至図７を使用して説明する。まず、図５を参照すると、リテーナ２００は、上下方向に延在したリテーナ連結部２１０と、リテーナ連結
部２１０の下側端部から前方に延出したリテーナ下壁２０７と、リテーナ連結部２１０の上側端部から前方に延出したリテーナ上壁２０６から構成されて、リテーナ上壁２０６とリテーナ下壁２０７の間には前方が開放されたリテーナ嵌合部２０７が形成される。
【００２７】
さらに図４、図６を参照すると、リテーナ上壁２０６の左右方向の中央付近には、上下方向及び左右方向が開口された受け入れ部２０８が形成されている。
【００２８】
またリテーナ上壁２０６には、受け入れ部２０８を挟んで左右方向の右側に２個、左側に２個の計４個の係止孔２０２が、上下方向及び後方向を開口して形成されている。
【００２９】
さらに、リテーナ上壁２０６には、受け入れ部２０８近傍の左右２個の一対の係止孔２０２の前端のリテーナ上壁２０６から立設されて、受け入れ部２０８の左右側に近接し、前方に延長した一対の係止脚２０６，２０６が形成されている。
【００３０】
また、リテーナ上壁２０６の受け入れ部２０８の後端にはリテーナ上壁２０６から立設された保護壁２０３が形成されている。
【００３１】
また、図７を参照すると、リテーナ下壁２０７には、所定間隔で前後方向を分割された支持部２０４が左右方向に複数個、極数毎に、形成されている。この支持部２０４は略矩形形状であり、前方の先端部分が先細形状となっている。
【００３２】
次に、図８乃至図１１の図面を使用して、リテーナ２００がハウジング１００の所定位置に装着された状態について説明する。まず図８、図９を参照すると、リテーナ２００がハウジング１００の所定位置に装着される際には、ハウジング１００の後端からリテーナ嵌合部２０７に、ハウジング１００の上壁１０１を嵌入させて、リテーナ上壁２０６に形成された係止孔２０２及び係止脚２０６、保護壁２０３は上壁１０１の上方に配置され、またリテーナ下壁２０５に形成された支持部２０４は上壁１０１の下方の端子収容室１０２内に配置される。
【００３３】
上壁１０１の上方に配置された一対の係止脚２０６，２０６は、ロック部材１１２の一対の連結脚１０６，１０６に対して、その左右方向の両側に各々並列して沿うように配置されることで係止することができ、一対の連結脚１０６、１０６及びロック片１０３が左右方向に変形することを防止しロック部材１１２を保護することとなる。尚、一対の係止脚２０６，２０６は、ロック部材１１２の一対の連結脚１０６，１０６の少なくとも一対の連結部１０７、１０７の前後方向、上下方向に近傍する部分を含めて係止することが望ましい。
【００３４】
また、上壁１０１の上方に配置された係止孔２０２は、上壁１０１に左右方向に形成された係止突起１０８に係合され、ハウジング１００に装着されたリテーナ２００の抜けを防止している。
【００３５】
さらに本実施例では、図１０に示されるように、左側面視で、ロック部材１１２が一対の係止脚２０６、２０６で覆われるようになっているので、より強固にロック部材１１２を保護して、不意な外力がロック部材１１２に生じてロック部材１１２が左右方向に変形することを防止し、電線等が絡まることも防止することができる。
【００３６】
また、本実施例では、保護壁２０３が、側面視で操作部１０５の下端と上壁１０１との間を覆うようにリテーナ上壁２０６の後側の端部から立設されて、電線や塵等が操作部１０５の下側に入り込み、操作部１０５の操作に支障をきたすことを防止することができる。
【００３７】
そして、図１１に示されるように、リテーナ２００がハウジング１００の所定位置に装着される際に支持部２０４は、上壁１０１の下方の挿入口１１５から端子収容室１０２へ挿入される。そしてその支持部２０４の先端部分が、電線が接続された端子３００を後方から前方に向けて押えて、ハウジングランス１０９とともに端子３００の抜けを防止している。
【００３８】
尚、本実施例では、上下方向２列の端子収容室１０２の内、下側の１列の端子収容室１０２に収容された端子３００については、リテーナ２００ではなく、ハウジング１００の上壁１０１と対向する下壁１５１に係止される別体の保持具２５０の端子保持片２５１によって、後方から前方に向けて押されて、ハウジングランス１０９とともに端子３００の抜けを防止している。
【００３９】
さらに図１２の断面図に開示される別の実施例では、リテーナ連結部２１０をさらに下側に支持部２０４を超えて延ばし、そのリテーナ連結部２１０の下方端から前方に新たなリテーナ下壁２０５を延長させて形成し、その新たに形成されたリテーナ下壁２０５を所定間隔で前後方向を分割された支持部２０４が、左右方向に複数個、極数毎に新たに形成されている。この支持部２０４も上側の支持部２０４と同様に略矩形形状であり、前方の先端部分が先細形状となっている。そしてリテーナ２００がハウジング１００の所定位置に装着された際に、上下方向２列の端子収容室１０２にはともに支持部２０４が挿入されて端子３００を後方から押えて、抜けを防止している。
【００４０】
このような構成にすることで、下側の１列の端子収容室１０２に収容された端子３００の保持のためのリテーナ２００とは別体の保持具２５０が不要となり、１つのリテーナ２００のみで、支持脚２０１によるロック部材１１２の保護および、上下２列の端子収容室１０２の端子３００の支持部２０４による抜け止めを行うことができることとなる。
【産業上の利用可能性】
【００４１】
リテーナ等の端子保持機能を有したコネクタ全般に広く適応し、利用することができる。
【符号の説明】
【００４２】
１００      ハウジング
１０１      外壁
１０２      端子収容室
１０３      ロック片
１０４      ロック部
１０５      操作部
１０６      連結脚
１０７      連結部
１０８      係止突起
１０９      ハウジングランス
１１１      接続口
１１２      ロック部材
１１３      接続壁
１１４      突出部
１１５      挿入口
１５１      下壁
２００      リテーナ
２０１      係止脚
２０２      係止孔
２０３      保護壁
２０４      支持部  
２０５      リテーナ下壁
２０６      リテーナ上壁
２０７      リテーナ嵌合部
２０８      受け入れ部
２５０      保持具
２５１      端子保持片
３００      端子
４００      相手側コネクタ
【図１】
2020161238.tif 000003
【図２】
2020161238.tif 000004
【図３】
2020161238.tif 000005
【図４】
2020161238.tif 000006
【図５】
2020161238.tif 000007
【図６】
2020161238.tif 000008
【図７】
2020161238.tif 000009
【図８】
2020161238.tif 000010
【図９】
2020161238.tif 000011
【図１０】
2020161238.tif 000012
【図１１】
2020161238.tif 000013
【図１２】
2020161238.tif 000014
【図１３】
2020161238.tif 000015